(57)【要約】【課題】複数の錠で施錠された扉において、全ての異常な解錠が終わる前に異常を検知し、警報を発することにより、異常な解錠を躊躇させることができる防犯装置を提供する。【解決手段】一つの扉に設けられた、少なくとも第１の錠および第２の錠を有する複数の錠と、前記複数の錠のそれぞれの施錠状態および解錠状態を検出する錠センサ１，２と、複数の錠のうち、最初の錠が解錠されたことを錠センサ１が感知したときに、次の錠が解錠されたことを錠センサ２が感知するまでの時間差、順序を設定する設定スイッチ４と、最初の錠が解錠を検知した後、前記時間差以内に次の錠の錠センサが解錠を検知しなかったときに警報を発する信号を出力する異常検知用マイクロコンピュータ３とを備えた、複数の鍵で施錠される扉の防犯装置。【選択図】  図１
2006328768.tif 000002
【特許請求の範囲】
【請求項１】
一つの扉に設けられた、少なくとも第１の錠および第２の錠を有する複数の錠と、
前記複数の錠のそれぞれの施錠状態および解錠状態を検出する錠センサと、
前記複数の錠のうち、最初の錠が解錠されたことを前記錠センサが感知したときに、次の錠が解錠されたことを前記錠センサが感知するまでの時間差を設定する設定手段と、
前記錠センサが最初の錠の解錠を検知した後、前記時間差以内に前記次の錠の解錠を検知しなかったときに警報を発する異常検知手段と
を備えたことを特徴とする、複数の鍵で施錠される扉の防犯装置。
【請求項２】
前記設定手段は、前記複数の錠のうち、最初の錠が施錠されたことを前記錠センサが感知したときに、次の錠が施錠されたことを前記錠センサが感知するまでの時間差を設定する機能を備え、
前記異常検知手段は、前記錠センサが最初の錠の施錠を検知した後、前記時間差以内に前記次の錠の施錠を検知しなかったときに警報を発する機能を備えた
ことを特徴とする、請求項１記載の、複数の鍵で施錠される扉の防犯装置。
【請求項３】
前記設定手段は、前記時間差とともに、錠操作の順番をも設定する機能を備え、
前記異常検知手段は、前記設定手段で設定された錠操作の順番とは異なる順番で錠操作されたときに警報を発する機能を備えた
ことを特徴とする、請求項１または２記載の、複数の鍵で施錠される扉の防犯装置。
【発明の詳細な説明】
【技術分野】
【０００１】
本発明は、複数の鍵で施錠された扉において、複数の鍵を規定された時間内に解錠しなければ、警報を発することにより、鍵を使わず、特異な方法で解錠を行なおうとする者の侵入を躊躇させる防犯装置に関する。
【背景技術】
【０００２】
従来より、いわゆるピッキングやサムターン回しによる家屋侵入や盗難が後を絶たない。この対策として、扉を複数の鍵で施錠することは、１つの鍵で施錠するよりも、鍵を持たない不審者の侵入を防止する上で、非常に有効であることが知られており、採用している場所も多い。
【０００３】
しかしながら、複数の鍵で施錠した扉であっても、時間をかければ解錠することができるため、道路から死角になっている扉など、十分な時間をかけることが躊躇されない場所においては、複数の鍵の有効性が生かされない場合があった。
【０００４】
不審者が異常な手段で全ての解錠を行い、扉を開けた時点で警報や通報を行う装置もあるが、既に内部に侵入したあとであるため、問題があった。
【０００５】
さらに、警備会社等では、解錠後、所定の時間以内にＩＤカードを挿入しないと警報を発するシステムを導入しているが、これも、既に内部に侵入した後であり、警備会社が現地に出動するまでの時間内に室内での盗難や放火を行う時間的余裕があるため、問題があった。
【０００６】
１つの扉に複数（通常は２個）の錠を設ける場合、錠の種類としては、２個とも機械式錠、１個は機械式錠、他の１個は電気錠、２個とも電気錠という組み合わせがある。２個の電気錠を１個のテンキーやカードリーダー等の入力手段で操作した後、時間差をおいて施錠または解錠させることにより、消費電力を減少させたり、電気回路の簡素化を図った電気錠システムがある（例えば、特許文献１参照）。
【０００７】
【特許文献１】特開平１１−２９３９８３号公報
【発明の開示】
【発明が解決しようとする課題】
【０００８】
しかしながら、特許文献１に記載された電気錠システムでは、１個の入力手段で複数の電気錠を解錠、施錠するシステムであるため、不審者が解錠するのは一度で済むが、防犯上の意味はあまり無いという問題がある。また、錠が電気錠に限定されているため、機械式錠の場合には適用できないという問題がある。
【０００９】
本発明は、複数の鍵で施錠された扉において、あらかじめ規定された時間内に全ての解錠が行われない場合、警報を発することにより、正規の鍵を持たない者の解錠を思いとどまらせ中断、中止させること、また、複数の錠があるにもかかわらず、施錠を忘れた場合に、施錠を促すこと、更に、複数の鍵の解錠順番を予め規定し、解錠の時間だけでなく、規定された順番に解錠しないと警報を発することにより、規定された解錠順番を知らない者の解錠を思いとどまらせ中断、中止させることを目的とする。
【課題を解決するための手段】
【００１０】
前記課題を解決するため、本発明の複数の鍵で施錠される扉の防犯装置に係る第１の構成は、一つの扉に設けられた、少なくとも第１の錠および第２の錠を有する複数の錠と、前記複数の錠のそれぞれの施錠状態および解錠状態を検出する錠センサと、前記複数の錠のうち、最初の錠が解錠されたことを前記錠センサが感知したときに、次の錠が解錠されたことを前記錠センサが感知するまでの時間差を設定する設定手段と、前記錠センサが最初の錠の解錠を検知した後、前記時間差以内に前記次の錠の解錠を検知しなかったときに警報を発する異常検知手段とを備えたことを特徴とする。
【００１１】
また、本発明の第２の構成は、前記設定手段は、前記複数の錠のうち、最初の錠が施錠されたことを前記錠センサが感知したときに、次の錠が施錠されたことを前記錠センサが感知するまでの時間差を設定する機能を備え、前記異常検知手段は、前記錠センサが最初の錠の施錠を検知した後、前記時間差以内に前記次の錠の施錠を検知しなかったときに警報を発する機能を備えたことを特徴とする。
【００１２】
さらに、本発明の第３の構成は、前記設定手段は、前記時間差とともに、錠操作の順番をも設定する機能を備え、前記異常検知手段は、前記設定手段で設定された錠操作の順番とは異なる順番で錠操作されたときに警報を発する機能を備えたことを特徴とする。
【００１３】
本発明では、複数の錠の施錠、解錠状態を検出する錠センサをそれぞれの錠部に組み込み、これから検出された、解錠状態、施錠状態に基づき、それぞれの、施錠、解錠の時間差と順番を異常検知手段で演算、判断し、警報を行わせることにより、防犯の目的を実現することができる。
【００１４】
本発明においては、複数の錠で施錠された扉において、全ての異常な解錠が終わる前に異常を検知し、警報を発することにより、異常な解錠を躊躇させることができる。
【発明の効果】
【００１５】
本発明によれば、複数の錠の内、一部の解錠を行った時点で警報を発することができ、この時点では全ての解錠が終わっていないため、扉を開けることができず、警報による予防効果が高い。
【発明を実施するための最良の形態】
【００１６】
以下、本発明を図面に示す実施の形態に基づいて具体的に説明する。
【００１７】
図１は、本発明の実施の形態を示すブロック図であり、１つの扉に２個の錠が設けられている場合を示している。図２は本実施の形態における解錠時のフローチャート、図３は解錠の順番を設定した場合のフローチャート、図４は施錠時のフローチャートである。
【００１８】
図１において、１は第１の錠の解錠・施錠状態を検出する第１の錠センサ、２は第２の錠の解錠・施錠状態を検出する第２の錠センサ、３は第１の錠センサ１と第２の錠センサ２の異常検知用マイクロコンピュータ、４は異常検知用マイクロコンピュータ３に、予め解錠の順番を監視するか否か、解錠時の監視時間、施錠時の警報時間を設定するための設定スイッチ、５は警報スピーカ、６は警報解除キー、７は施錠忘れランプ、８は外部通報出力回路である。
【００１９】
次に、図２のフローチャートに基づいて、解錠時の警報の説明を行う。
ステップＳ１０１において、異常検知用マイクロコンピュータ３は、錠は２つとも施錠状態かどうかを監視しており、いずれかの錠が解錠された場合、ステップＳ１０２で、監視用タイマを起動する。ステップＳ１０３では、２つの錠が解錠になるまでの時間、警報スピーカ５より、注意喚起用の小さな警報音を鳴動させる。ステップＳ１０４では、錠が２つとも解錠かどうかを監視する。ステップＳ１０５では、２つの錠が解錠になるまでの時間が、予め設定スイッチ４により設定された時間を超えたかどうか監視し、超えた場合、ステップＳ１０６により、警報スピーカ５から大音量の警報音を鳴動させることにより、不審者の解錠を躊躇させる。ステップＳ１０４において、錠が２つとも解錠されると、ステップＳ１０７で注意喚起用警報音の鳴動を停止する。
【００２０】
ステップＳ１０６において大音量の警報音が鳴動開始した時点で警報スピーカ５の大音量を止めるためには、ステップＳ１０８で２つの錠を解錠後、ステップＳ１０９で警報解除キー６を操作することにより、ステップＳ１１０で大音量警報音の鳴動を停止することができる。
【００２１】
解錠順番を条件に加える場合のフローチャートを図３に示す。
図３において、ステップＳ２０１では、異常検知用マイクロコンピュータ３は、錠は２つとも施錠状態かどうかを監視しており、いずれかの錠が解錠された場合、ステップＳ２０２で、監視用タイマを起動する。ステップＳ２０３では、２つの錠が解錠になるまでの時間、警報スピーカ５より、注意喚起用の小さな警報音を鳴動させる。ステップＳ２０４では、解錠された錠の順序を監視しており、順序があっておれば、ステップＳ２０５で、錠が２つとも解錠かどうかを監視する。ステップＳ２０６では、２つの錠が解錠になるまでの時間が、予め設定スイッチ４により設定された時間を超えたかどうか監視し、超えた場合、ステップＳ２０７により、警報スピーカ５から大音量の警報音を鳴動させることにより、不審者の解錠を躊躇させる。ステップＳ２０４において、解錠された錠の順番があっていない場合は、時間を待たず、ステップＳ２０７により、警報スピーカから大音量の警報音を鳴動させる。ステップＳ２０５において、錠が２つとも解錠されると、ステップＳ２０８で注意喚起用警報音の鳴動を停止する。
【００２２】
ステップＳ２０７において大音量の警報音が鳴動開始した時点で警報スピーカ５の大音量を止めるためには、ステップＳ２０９で２つの錠を解錠後、ステップＳ２１０で警報解除キー６を操作することにより、ステップＳ２１１で大音量警報音の鳴動を停止することができる。
【００２３】
図４のフローチャートに基づいて、施錠時の警報の説明を行う。
まず、異常検知用マイクロコンピュータ３には、設定スイッチ４により、予め施錠時の警報時間が設定されている。
【００２４】
ステップＳ３０１では、錠は２つとも解錠状態かどうかを監視しており、いずれかの錠が施錠された場合は、ステップＳ３０２で、監視用タイマを起動する。ステップＳ３０３では、第１の錠センサ１と第２の錠センサ２により、２つの錠が施錠状態になるまでの時間、警報スピーカ５より、注意喚起用の小さな警報音を鳴動させる。ステップＳ３０４では、錠が２つとも施錠かどうかを監視し、ステップＳ３０５において、２つの錠が施錠になるまでの時間が、予め設定スイッチ４により設定された時間を超えたかどうか監視し、超えた場合、ステップＳ３０６により、施錠忘れランプ７を点灯させ、施錠忘れの注意喚起をするとともに、ステップＳ３０７で注意喚起用警報音の鳴動を停止する。ステップＳ３０４において、錠が２つとも施錠されると、ステップＳ３０７で注意喚起用警報音の鳴動を停止する。
【００２５】
なお、図２および図３の実施の形態のいずれにおいても、解錠時の異常検知を行う場合、警報スピーカ５より、大音量の警報音を鳴動させるだけでなく、外部通報出力回路８の出力により、外部の警備会社や警察署に通報する機能を持たせることもできる。
【産業上の利用可能性】
【００２６】
本発明は、一般家庭のみならず、事務所、金庫、機密性の高い部屋などあらゆる場所の侵入予防に有効である。
【図面の簡単な説明】
【００２７】
【図１】本発明の実施の形態を示すブロック図である。
【図２】本発明の実施の形態における解錠時のフローチャートである。
【図３】本発明の実施の形態において解錠の順番を設定した場合のフローチャートである。
【図４】本発明の実施の形態における施錠時のフローチャートである。
【符号の説明】
【００２８】
１  第１の錠センサ
２  第２の錠センサ
３  異常検知用マイクロコンピュータ
４  設定スイッチ
５  警報スピーカ
６  警報解除キー
７  施錠忘れランプ
８  外部通報出力回路
【図１】
2006328768.tif 000003
【図２】
2006328768.tif 000004
【図３】
2006328768.tif 000005
【図４】
2006328768.tif 000006